(57)【特許請求の範囲】
【請求項１】
ディスクの挿入または排出を行うための開口部と、
該開口部の少なくとも一部を塞ぐことによって、ディスクの挿入または排出を禁止するシャッタ片とを備えたディスクローディング装置において、
該開口部の長手方向を中央で分割した左右空間にそれぞれ設けられた前記開口部における長手方向と交差する方向に動作するシャッタ片と、
前記開口部の長手方向端部に設けられたロック片と、を有し、
該ロック片は、ディスク通過時にディスクと接触することに応じて前記シャッタ片を、該開口部を塞ぐ方向に動作させるものであることを特徴とするディスクローディング装置。
【請求項２】
前記シャッタ片を、前記開口部を塞ぐ方向に付勢する弾性部材を備えており、
ディスク通過準備時、該シャッタ片は前記ロック片によって、ディスクを挿入または排出可能とする位置にロックされ、
ディスク通過時、該ロック片がディスクと接触することに応じて動作することにより、該ロックが外されることを特徴とする請求項１記載のディスクローディング装置。
【請求項３】
前記シャッタ片におけるディスクと接触する部位にはローラが設けられていることを特徴とする請求項１乃至２記載のディスクローディング装置。
【請求項４】
前記シャッタ片が前記開口部を塞ぐ位置にある際に、該シャッタ片の先端部を収納する凹部が設けられていることを特徴とする請求項１乃至３記載のディスクローディング装置。
【請求項５】
前記シャッタ片のそれぞれの動作状態を検出する検出手段を備えており、
ディスク挿入動作時、両方のシャッタ片の動作状態を検出する検出手段の検出内容が異なる場合に、ディスクの異常挿入がされていると判定することを特徴とする請求項１乃至４記載のディスクローディング装置。
【請求項６】
前記シャッタ片のそれぞれの動作状態を検出する検出手段を備えており、
ディスク排出動作後、両方のシャッタ片の動作状態を検出する検出手段が、前記開口部を塞ぐ位置になったと検出した場合に、ディスクが開口部から取り除かれたと判定することを特徴とする請求項１乃至５記載のディスクローディング装置。
【発明の詳細な説明】
【０００１】
【発明の属する技術分野】
本発明は、ディスクを機器内に挿入、又は機器内から排出するディスクローディング装置に関する。
【０００２】
【従来の技術】
図８は従来のディスクローディング装置の外観を示す斜視図で、図９は図８のＢ−Ｂ′断面図で、（ａ）はディスク挿入時の状態図、（ｂ）はディスク排出時の状態図である。
【０００３】
従来のディスクローディング装置８０について、図８、９を参照して説明する。
【０００４】
ディスクローディング装置８０は、ＣＤ、ＤＶＤ等のディスク（記録媒体）９５をディスクプレーヤー等に挿排する挿排口を開閉するために設けられたもので、ディスクプレーヤーの挿排口２ａを有する前面パネル２の中央近傍の筐体底面１ｃに取付設置されている。このディスクローディング装置８０は、シャッタ８１、カム回転機構部８２、付勢機構部８３、ロック機構部８４、サポート部８５等で構成されている。
【０００５】
この構成に関する主要機能と、ディスク９５の挿排時におけるディスクローディング装置８０の機能動作について、以下に説明する。
【０００６】
シャッタ８１は、ディスク９５をディスクプレーヤー等に挿排する挿排口を開閉するために設けられたもので、角形で板材形状の樹脂材等で形成され、回転自在にカム回転機構部８２に連結された状態で、前面パネル２に形成された挿排口２ａの中央近傍の筐体底面１ｃに取付設置されている。
【０００７】
カム回転機構部８２は、シャッタ８１がディスク９５の挿入時にディスク９５の前面縁部に押圧されて回転する挿入方向の回転（回転角Ｒ８１相当）とディスク９５の排出時にディスク９５の後面縁部に押圧されて回転する排出方向の回転（回転角Ｒ８２相当）とをカム部（図示せず）を介して、例えば、一定方向のラック８６の移動（移動方向Ｆ８３相当）に変換するものである。
【０００８】
付勢機構部８３は、ディスク９５の挿排時にディスク９５に押圧されて回転するシャッタ８１を、ディスク９５の挿排が完了した時に、元の位置に戻すもので、例えば、シャッタ８１の回転によるラック８６の一定方向Ｆ８３への移動を、引っ張りバネ８７で方向Ｆ８４に付勢して行っている。
【０００９】
ロック機構部８４は、シャッタ８１の回転ができないようにロックするもので、ディスク９５の挿排開始時には、手動等によりこのロックを解除し、ディスク９５の挿排ができるようにしたものである。そして、サポート部８５はこのロック機構部８４を筐体１に取付設置するものである。
【００１０】
次に、ディスク９５の挿排時におけるディスクローディング装置８０の機能動作について、以下に説明する。
【００１１】
ディスク９５の挿入時には、シャッタ８１は、例えば、手動等によりロック機構部８４が下部方向Ｆ８５に移動してロックが解除され、ディスク９５が前面パネル２の挿排口２ａより挿入されると、図９（ａ）に示すように、ディスク９５の前面縁部がシャッタ８１の表面部Ｐ８１に当接し、シャッタ８１がディスク９５の前面縁部に押圧されて、挿入方向にシャッタ８１の表面部がＰ８１からＰ８２の位置まで回転移動し、回転角がＲ８１となる。この時、付勢機構部８３のラック８６は、カム回転機構部８２を介して、右方向Ｆ８３に移動する。そして、ディスク９５の挿入がシャッタ８１の表面部位置Ｐ８２をすぎるとディスク９５とシャッタ８１の表面部の当接が解除し、シャッタ８１はカム回転機構部８２を介して、付勢機構部８３の引っ張りバネ８７により左方向Ｆ８４に付勢されて、元のシャッタ８１の表面部位置Ｐ８１まで戻されて、シャッタ８１が閉まった状態になり、ロック機構部８４は、例えば、ディスク挿入完了を検知するレバーが動作することに応じて、上部方向Ｆ８６に移動してロックされる。
【００１２】
ディスク９５の排出時には、このシャッタ８１は、例えば、手動等によりロック機構部８４が下部方向Ｆ８５に移動してロックが解除され、搬出駆動部（図示せず）により、ディスク９５が前面パネル２の挿排口２ａ方向に搬出されると、図９（ｂ）に示すように、ディスク９５の後面縁部がシャッタ８１の裏面部Ｐ８３に当接し、シャッタ８１がディスク９５の後面縁部に押圧されて、排出方向にシャッタ８１の裏面部がＰ８３からＰ８４の位置まで回転移動し、回転角がＲ８２となる。この時、付勢機構部８３のラック８６は、カム回転機構部８２を介して、右方向Ｆ８３に移動する。そして、ディスク９５の排出がシャッタ８１の裏面部Ｐ８４をすぎるとディスク９５とシャッタ８１の裏面部との当接が解除し、シャッタ８１はカム回転機構部８２を介して、付勢機構部８３の引っ張りバネ８７等により左方向Ｆ８４に付勢されて、元のシャッタ８１の裏面部位置Ｐ８３まで戻されて、シャッタ８１が閉まった状態になり、ロック機構部８４は、ロックされる。
【００１３】
【発明が解決しようとする課題】
以上のように、ディスクを挿排する挿排口を開閉するための回転機能を有するシャッタを、前面パネルに設けられた挿排口の中央近傍の１箇所に設置したディスクローディング装置では、複数のディスクが連続的に挿入されると、先行ディスクがシャッタを通り過ぎても、後続ディスクが挿排口の中央近傍では連なっているため、シャッタが元の閉じた状態に戻らないまま、後続ディスクも挿入可能となり、誤操作が発生する恐れがでてくる。
【００１４】
本発明は、このような問題を解決するもので、複数のディスクを連続的に挿入しようとしても、先行ディスクがシャッタを通り過ぎると、シャッタが閉じた状態となり、後続ディスクを連なって挿入できない、誤操作の発生を防止したディスクローディング装置を実現することを課題とする。
【００１５】
【課題を解決するための手段】
上記目的を達成するために、本発明は、ディスクの挿入または排出を行うための開口部と、該開口部の少なくとも一部を塞ぐことによって、ディスクの挿入または排出を禁止するシャッタ片とを備えたディスクローディング装置において、該開口部の長手方向を中央で分割した左右空間にそれぞれ設けられた前記開口部における長手方向と交差する方向に動作するシャッタ片と、前記開口部の長手方向端部に設けられたロック片と、を有し、該ロック片は、ディスク通過時にディスクと接触することに応じて前記シャッタ片を、該開口部を塞ぐ方向に動作させることを特徴としている。
【００１７】
また、前記シャッタ片を、前記開口部を塞ぐ方向に付勢する弾性部材を備えており、ディスク通過準備時、該シャッタ片は前記ロック片によって、ディスクを挿入または排出可能とする位置にロックされ、ディスク通過時、該ロック片がディスクと接触することに応じて動作することにより、該ロックが外されることを特徴とするものである。
【００１８】
また、前記シャッタ片におけるディスクと接触する部位にはローラが設けられていることを特徴とするものである。
【００１９】
また、前記シャッタ片が前記開口部を塞ぐ位置にある際に、該シャッタ片の先端部を収納する凹部が設けられていることを特徴とするものである。
【００２０】
また、前記シャッタ片のそれぞれの動作状態を検出する検出手段を備えており、
ディスク挿入動作時、両方のシャッタ片の動作状態を検出する検出手段の検出内容が異なる場合に、ディスクの異常挿入がされていると判定することを特徴とするものである。
【００２１】
また、前記シャッタ片のそれぞれの動作状態を検出する検出手段を備えており、
ディスク排出動作後、両方のシャッタ片の動作状態を検出する検出手段が、前記開口部を塞ぐ位置になったと検出した場合に、ディスクが開口部から取り除かれたと判定することを特徴とするものである。
【００２２】
【発明の実施の形態】
本発明の実施の形態について、図面を参照して説明する。
【００２３】
図１は本発明の実施の形態に係るディスクローディング装置の外観を示す斜視図で、図２は本発明の実施の形態に係るディスクローディング装置の上面を示す断面図、図３は本発明の実施の形態に係るディスクローディング装置のシャッタレバーが閉じた状態を示す詳細な裏面斜視図、図４は本発明の実施の形態に係るディスクローディング装置のシャッタレバーが開いた状態を示す詳細な裏面斜視図、図５は図３のＡ−Ａ'断面図、図６は本発明の実施の形態に係るディスクローディング装置のシャッタレバーの開閉位置を検出する検出部の裏面斜視図である。
【００２４】
本発明の実施の形態に係るディスクローディング装置１０は、図１と図２に示すように、筐体底面１ｃの左側に設置されたシャッタ機構１０ａと、右側に設置されたシャッタ機構１０ｂとを備えており、ＣＤ、ＤＶＤ等のディスク（記録媒体）９５をディスクプレーヤー等に挿排するための開口部である挿排口２ａを開閉するために設けられたもので、挿排口２ａの長手方向と交差する方向である上部方向Ｆ１２と下部方向Ｆ１３（図１に示す矢印Ｆ１２、Ｆ１３の方向）に動作する。
【００２５】
このシャッタ機構１０ａ、１０ｂは、シャッタ回転機構部５０をそれぞれ有し、この各シャッタ回転機構部５０がディスクプレーヤーに設けられた前面パネル２の挿排口２ａの中央に対し、対称となる間隔を設けた左右の位置に配設された状態で、それぞれ筐体底面１ｃに取付設置されている。
【００２６】
この各シャッタ回転機構部５０に設けられたシャッタレバー５１は、ディスク９５の挿入時には、それぞれ上部方向Ｆ１２に回転して、シャッタレバー５１を開いた状態にし、挿入が完了すると、シャッタレバー５１をそれぞれ下部方向Ｆ１３に回転されて、シャッタレバー５１を閉じた状態にしている。
【００２７】
シャッタ機構１０ａ、１０ｂは、各シャッタ回転機構部５０のシャッタレバー５１が上部方向Ｆ１２に回転した状態で、ディスク９５ａが挿入されると、ディスク９５ａの挿入方向の左右の外周縁によって、各ロックカムレバー回転機構部４０に設けられたそれぞれのロックレバー４１が押圧されることにより、ロックカムレバー回転機構部４０によって、各シャッタ回転機構部５０のシャッタレバー５１が下部方向Ｆ１３に回転させられて、シャッタレバー５１に設けられたローラー５２がディスク９５ａの表面に当接するように動作する。この動作は、例えばディスク９５ａが図２に示すＡ１１の位置にある時に行われる。そして、このシャッタ機構１０ａ、１０ｂは、図１、２に示すように、シャッタレバー５１のローラー５２に当接した状態で挿入されているディスク９５ａの後端が、各シャッタ回転機構部５０の位置を通り過ぎた時点（例えば、ディスク９５ａが図２に示すＡ１２）の位置にある時、各シャッタレバー５１のローラー５２がディスク９５ａ表面の当接から離れるため、ローラー５２のディスク９５ａ表面に当接している状態の位置から、さらに下部方向Ｆ１３に回転移動することにより、シャッタレバー５１が前面パネル２の挿排口２ａを塞いだ状態となり、別のディスク９５ｂが中央先端部Ｐ１１で連なって挿入されても、挿入できないように動作するものである。即ち、このシャッタレバー５１は、前面パネル２の挿排口２ａにおける、ディスク９５の中央部が通り過ぎる位置よりも左右端部方向に、少なくとも寸法Ｌ１１、Ｌ１２だけ離れて設けられ、また、ディスク９５の挿入方向に交差する方向（Ｆ１２、Ｆ１３）に動作する。つまり、ディスク間に割り込むように動作するので、ディスクの二重挿入のような誤操作が起こることはない。
【００２８】
このディスクローディング装置１０は、左側の位置に設置されているシャッタ機構１０ａと右側の位置に設置されているシャッタ機構１０ｂとを備えたもので、このシャッタ機構１０ａ、１０ｂはそれぞれ左右対称なものである。よって、筐体底面１ｃの左側の位置に設置されているシャッタ機構１０ａについて、以下に説明し、シャッタ機構１０ｂについては説明を省略する。
【００２９】
シャッタ機構１０ａは、シャッタ回転機構部５０、ロックカムレバー回転機構部４０、回転レバー連結機構部３０、ロック機構部２０、第１サポート部１３ａ、と第２サポート部１４、検出部６０、ディスクの挿排ガイド板１２等で構成されている。
【００３０】
シャッタ回転機構部５０は、ディスク９５をディスクプレーヤー等に挿排するための開口部である挿排口２ａを開閉するために設けられたもので、図３と図４に示すように、シャッタ回転機構部５０のシャッタレバー５１が、挿排口２ａの長手方向と交差する方向である上部方向Ｒ２３と下部方向Ｒ２６（図３、４に示す矢印Ｒ２３、Ｒ２６の方向）に、回転支持軸３２の中心を支点として回転する。
【００３１】
ディスク９５の挿入前、又は排出後におけるシャッタ回転機構部５０のシャッタレバー５１が閉じた状態は、図３に示すように、シャッタレバー５１がつるまきバネ５４により付勢されて閉じた状態の位置に戻され、シャッタレバー５１の先端部に設けられたローラー５２が挿排ガイド板１２の表面に設けられた凹形状の溝部１２ａに嵌め込まれた状態にある。
【００３２】
そして、ディスク９５の挿入時におけるシャッタ回転機構部５０のシャッタレバー５１が開いた状態は、図４に示すように、シャッタレバー５１の先端部に設けられたローラー５２のディスク９５の表面に接触する下部面Ｐ２７の位置がディスクの挿排ガイド板１２の表面に設けられた凹形状の溝部１２ａの底面から所定寸法Ｌ１５まで離間した状態にある。
【００３３】
このシャッタ回転機構部５０は、図３、４、５に示すように、前面パネル２に設けられたディスク９５の挿排口２ａを塞ぐためのシャッタレバー５１と、ディスク９５の挿排時にディスク９５の表面と接触するシャッタレバー５１の先端近傍に設けられたローラー５２と、シャッタレバー５１を回転させるカム３５とその回転支持軸３２と、シャッタレバー５１と回転レバー連結機構部３０の連結レバー３１との間に設置される円筒形状に樹脂材等で形成されたスペーサ３８と、シャッタレバー５１の回転を元に戻すように付勢されたつるまきバネ５４と、つるまきバネ５４を保持する保持板５３と、検出スイッチ用押圧板６３等で構成されている。
【００３４】
シャッタレバー５１は、長方形形状に樹脂材等で形成されたもので、先端部にはディスク９５の挿入を妨げるような突出形状部５１ａが、ディスク９５の表面と接触する先端近傍部には軸を介してローラー５２を回転自在に嵌め込み設置するような凹形状部５１ｂが、後端部には回転支持軸３２に嵌合する孔５１ｄとカム３５に嵌め込み固定される凸形状の突起部５１ｃが、中央部近傍にはつるまきバネ５４をホールド支持する突出部５３と検出スイッチ６１を押圧する押圧板６３とが、それぞれ形成されている。
【００３５】
このシャッタレバー５１は、シャッタレバー５１の凹形状部５１ｂにローラー５２が嵌め込み設置された状態で、シャッタレバー５１の突起部５１ｃがカム３５に嵌め込み固定され、回転支持軸３２を支点としてカム３５に連動し、上部方向Ｒ２３と下部方向Ｒ２６（図３、４に示す矢印Ｒ２３、Ｒ２６の方向）に回転するものである。
【００３６】
ローラー５２は、円柱形状にデルリン材等の樹脂材で成形されたもので、シャッタレバー５１の先端部の凹形状部５１ｂに回転軸を介して、嵌めこみ設置されている。
【００３７】
このローラー５２は、シャッタレバー５１に設置されてディスク９５の挿排時におけるディスク９５の表面との接触時に、ディスク９５の表面にキズ等の損傷が発生しないようにしたものである。
【００３８】
カム３５は、カムレバー４２の押圧面４２ａにより押圧されるカム面３５ａを有する突起部が設けられた円筒形状に、金属材等で形成されたものである。このカム３５はシャッタレバー５１の突起部５１ｃがカム３５の孔に嵌め込まれ設置された状態で、回転支持軸３２の回転面３２ａに挿入嵌合され、カムレバー４２の押圧面４２ａによりカム３５のカム面３５ａが押圧されて回転し、カム３５に連結されたシャッタレバー５１がカムレバー４２に連動して回転するようにしたものである。
【００３９】
回転支持軸３２は、円柱形状に金属材等で形成されたもので、両端にはそれぞれネジ部３２ｃ、３２ｄが、中央部には回転面３２ａ、３２ｂが、それぞれ形成されている。この回転支持軸３２は正面側のネジ部３２ｃが第２サポート部１４にナット３７で締め付け固定されている。そして、この回転支持軸３２には、回転面３２ｂに回転レバー連結機構部３０の連結レバー３１とスペーサ３８とが回転自在に挿入嵌合して設置され、回転面３２ａにはカム３５が嵌め込み設置された状態のシャッタレバー５１が回転自在に挿入嵌合されており、後面側のネジ部３２ｄがナット３６で締め付け固定されている。これにより、連結レバー３１とシャッタレバー５１が、回転支持軸３２を支点にして、回転するようになっている。
【００４０】
つるまきバネ５４は、線状のバネ材等でつるまき状の形状に形成されたもので、中央部がカム３５の円筒部の外表面に嵌めこまれた状態で、両端５４ａ、５４ｂが、それぞれシャッタレバー５１に設けられた突出部５３と、第２サポート部１４に設けられた支持板５５とに、つるまきバネ５４を歪ませた状態にして、設置されている。この歪まされた状態のつるまきバネ５４は、図３，４に示すように、バネの反力により、つるまきバネ５４の両端５４ａ、５４ｂはそれぞれＭ１１、Ｍ１２の方向に付勢されている。これにより、突出部５３が設けられたシャッタレバー５１はつるまきバネ５４の端部５４ａにより、Ｍ１２の方向に付勢され、シャッタレバー５１が回転支持軸３２を支点にして、閉じる方向である下部方向Ｒ２６に常に回転される状態になっている。
【００４１】
回転レバー連結機構部３０は、図３、４、５に示すように、シャッタ回転機構部５０とロックカムレバー回転機構部４０とロック機構部２０を連結する連結レバー３１と、ロックカムレバー回転機構部４０に設けられた固定軸３３を連結レバー３１に固定するナット２７と、ロック機構部２０に設けられたスライド支持軸３４を連結レバー３１に固定するナット２８等より構成されている。
【００４２】
連結レバー３１は、Ｌ型形状に金属材等で形成され、片端にはシャッタ回転機構部５０に設けられた回転支持軸３２を回転自在に嵌めこむ勘合孔３１ａが、他方の端部にはロック機構部２０に設けられたスライド支持軸３４を固定する固定孔３１ｃが、中央部にはロックカムレバー回転機構部４０に設けられた固定軸３３を固定する固定孔３１ｂが、それぞれ設けられている。この連結レバー３１は、シャッタ回転機構部５０のシャッタレバー５１を回転支持軸３２を介してこの連結レバー３１に連結した状態で、第２サポート部１４に設置し、ロックカムレバー回転機構部４０とロック機構部２０を、それぞれ固定軸３３とスライド支持軸３４で連結したものである。そして、連結レバー３１に連結されているシャッタレバー５１とロックカムレバー回転機構部４０とロック機構部２０とはそれぞれ回転支持軸３２を支点として、回転することができる。
【００４３】
この回転レバー連結機構部３０は、図３と図４に示すように、回転レバー連結機構部３０の連結レバー３１で、シャッタ回転機構部５０とロックカムレバー回転機構部４０とロック機構部２０とを、それぞれ連結し、連結レバー３１とシャッタレバー５１とを連結している回転支持軸３２を支点として、それぞれシャッタレバー５１とロックカムレバー回転機構部４０とロック機構部２０とをそれぞれ回転連動するものである。
【００４４】
この回転レバー連結機構部３０は、ディスク９５の挿入前、又は排出後におけるシャッタ回転機構部５０のシャッタレバー５１が閉じた状態では、図３に示すように、ロック機構部２０の連結板２１と一体連結されているスライド支持板２２の下部端面がＳ１２で示す位置にあり、連結板２１と連結レバー３１とを連結しているスライド支持軸３４、及びロックカムレバー回転機構部４０と連結レバー３１とを連結している固定軸３３の中心と、回転支持軸３２の中心とがＣ１２で示す線上に位置している。連結レバー３１は、シャッタレバー５１を連結した状態で、回転支持軸３２により第２サポート部１４に取付設置されているので、この時、シャッタレバー５１は、つるまきバネ５４により付勢されて閉じた状態の位置に戻され、シャッタレバー５１の先端部に設けられたローラー５２が挿排ガイド板１２の表面に設けられた凹形状の溝部１２ａに嵌め込まれた状態にある。
【００４５】
この回転レバー連結機構部３０は、ディスク９５の挿入時には、手動等による操作で、ロック機構部２０の連結板２１と一体連結されているスライド支持板２２の下部端面が下部方向Ｆ１３に、Ｓ１２で示す位置からＳ１１で示す位置まで移動する。このスライド支持板２２の下部方向Ｆ１３への移動により、スライド支持板２２と一体連結されている連結板２１が、連動して下部方向へ移動し、この連結板２１にスライド支持軸３４を介して連結されている連結レバー３１が、回転支持軸３２を支点として、下部方向Ｒ２４に、回転支持軸３２の中心とスライド支持軸３４の中心、及びロックカムレバー回転機構部４０を連結レバー３１に連結している固定軸３３の中心とを結ぶ線がＣ１２の線上からＣ１１の線上まで回転移動する。この回転移動した状態を、図４に示している。
【００４６】
ディスク９５の挿入時におけるシャッタ回転機構部５０のシャッタレバー５１が開いている状態での回転レバー連結機構部３０は、図４に示すように、ロック機構部２０の連結板２１と一体連結されているスライド支持板２２の下部端面が下部方向Ｆ１３に移動されて、Ｓ１１で示す位置にあり、回転支持軸３２の中心と連結板２１を連結レバー３１に連結しているスライド支持軸３４の中心、及びロックカムレバー回転機構部４０を連結レバー３１に連結している固定軸３３の中心とが下部方向Ｒ２４に回転移動されて、Ｃ１１で示す線上に位置している。
【００４７】
連結レバー３１は、シャッタレバー５１を連結した状態で、回転支持軸３２により第２サポート部１４に取付設置されているので、この時、シャッタレバー５１は、ロックカムレバー回転機構部４０と連結レバー３１とを連結している固定軸３３の中心位置が、回転支持軸３２を支点として、下部方向Ｒ２４に回転移動することによって、ロックカムレバー回転機構部４０に設けられたカムレバー４２のカム押圧面４２ａにより、シャッタ回転機構部５０に設けられたカム３５の押圧面３５ａが押圧され、カム３５が連結されているシャッタレバー５１が回転支持軸３２を支点として、上部方向Ｒ２３に回転してロックされ、開いている状態となっている。
【００４８】
ロックカムレバー回転機構部４０は、ロックカムレバー回転機構部４０を連結レバー３１に固定する固定軸３３と、固定軸３３に嵌めこみ固定されてシャッタ回転機構部５０に設けられたカム３５を押圧回転するカムレバー４２と、カムレバー４２に取付固定されているロックレバー４１と、カムレバー４２を固定軸３３に取付固定するナット４３等より構成されている。
【００４９】
ロックカムレバー回転機構部４０は、図３、４、５に示すように、ロックカムレバー回転機構部４０に設けられた固定軸３３が連結レバー３１に取付固定されており、回転支持軸３２を支点として、連結レバー３１に連結された状態で、固定軸３３の中心位置が回転する。このロックカムレバー回転機構部４０の回転により、ロックカムレバー回転機構部４０に設けられたロックレバー４１の位置が回転移動するとともに、ロックカムレバー回転機構部４０に設けられたカムレバー４２が、図３と図４に示すように、カムレバー４２のカム押圧面４２ａでシャッタ回転機構部５０に設けられたカム３５の押圧面３２ａを押圧し、シャッタレバー５１を回転支持軸３２を支点として、回転させるものである。
【００５０】
このロックカムレバー回転機構部４０は、ディスク９５の挿入前又は排出後におけるシャッタ回転機構部５０のシャッタレバー５１が閉じている状態では、図３に示すように、シャッタレバー５１と連結されている回転支持軸３２の中心と、ロックカムレバー回転機構部４０を連結レバー３１に連結している固定軸３３の中心とがＣ１２で示す線上に位置している。この時、ロックカムレバー回転機構部４０に設けられたロックレバー４１は、回転支持軸３２の中心とロックレバー４１の外周面Ｐ３２とが接線Ｃ１４の位置まで回転した状態で、外側に押圧移動された位置にあり、シャッタレバー５１はつるまきバネ５４により付勢されて、下部方向Ｒ２６（図４に示す矢印Ｒ２６）に回転し、シャッタレバー５１が閉じた状態にある。
【００５１】
このロックカムレバー回転機構部４０は、ディスク９５の挿入時には、回転レバー連結機構部３０に連動されて、回転支持軸３２を支点として、下部方向Ｒ２４に、回転支持軸３２の中心とロックカムレバー回転機構部４０を連結レバー３１に連結している固定軸３３の中心、及び回転支持軸３２との中心を結ぶ線がＣ１２の線上からＣ１１の線上まで回転移動する。
【００５２】
このロックカムレバー回転機構部４０の回転により、ロックカムレバー回転機構部４０に設けられたロックレバー４１の位置が、回転支持軸３２の中心とロックレバー４１の外周面Ｐ３２とを結ぶ接線Ｃ１４の位置から接線Ｃ１３の位置まで下部方向Ｒ２５に回転移動するとともに、ロックカムレバー回転機構部４０に設けられたカムレバー４２が、図３に示すように、カムレバー４２のカム押圧面４２ａでシャッタ回転機構部５０に設けられたカム３５の押圧面３２ａを押圧し、シャッタレバー５１を回転支持軸３２を支点として、上部方向Ｒ２３に、回転支持軸３２の中心とシャッタレバー５１に設けられたローラー５２の下部面Ｐ２８とを結ぶ接線Ｃ１６の位置から接線Ｃ１５の位置まで回転移動し、シャッタレバー５１は開いた状態となる。この回転移動した状態を、図４に示している。
【００５３】
ディスク９５の挿入時におけるシャッタ回転機構部５０のシャッタレバー５１が開いている状態でのロックカムレバー回転機構部４０は、図４に示すように、シャッタレバー５１を連結している回転支持軸３２の中心と、ロックカムレバー回転機構部４０を連結レバー３１に連結している固定軸３３の中心とがＣ１１で示す線上に位置している。この時、ロックカムレバー回転機構部４０に設けられたロックレバー４１は、回転支持軸３２の中心とロックレバー４１の外周面Ｐ３１とが接線Ｃ１３で示す線上で、内側に傾いた状態になって入り込んだ状態になっている。
【００５４】
この傾いて内側に入り込んでいるロックレバー４１は、ディスク９５が図２におけるＡ１１の位置まで挿入されると、ディスク９５の外周面にロックレバー４１の外周面Ｐ３１が当接押圧されて、回転支持軸３２を支点として上部方向Ｒ２８に、回転支持軸３２の中心とロックレバー４１の外周面Ｐ３１とを結ぶ接線Ｃ１３の位置から接線Ｃ１４の位置まで回転移動されることになる。これにより、ロックカムレバー回転機構部４０に設けられたカムレバー４２とシャッタ回転機構部５０に設けられたカム３５とのロックが解除され、シャッタレバー５１がつるまきバネ５４により付勢されて、下部方向Ｒ２６に、回転支持軸３２の中心とシャッタレバー５１に設けられたローラー５２の下部面Ｐ２７とが接線Ｃ１５の位置から接線Ｃ１７の位置まで回転移動し、シャッタレバー５１はシャッタレバー５１に設けられたローラー５２の下部面Ｐ２９がディスク９５の表面に当接した状態となる。
【００５５】
そして、ディスク９５が図２におけるＡ１２の位置まで更に挿入されて、ディスク９５の表面がシャッタレバー５１のローラー５２位置から離れると、さらにシャッタレバー５１がつるまきバネ５４により付勢されて、下部方向Ｒ２６に、回転支持軸３２の中心とシャッタレバー５１のローラー５２の下部面Ｐ２９とが接線Ｃ１７の位置から接線Ｃ１６(図３に示す接線Ｃ１６)の位置まで回転移動し、シャッタレバー５１のローラー５２が挿排ガイド板１２の表面に設けられた凹形状の溝部１２ａに嵌め込まれ、シャッタレバー５１が閉じた状態の位置に戻され、前面パネル２の挿排口２ａを塞いだ状態となり、別のディスク９５ｂの中央先端部が連なって挿入されても、挿入できない状態になる。
【００５６】
カムレバー４２は、カム押圧面４２ａを有する突起部が設けられた円筒形状に、金属材等で形成されたもので、固定軸３３の固定軸部３３ａに回転防止キー等を介して嵌めこみ固定されている。又、カムレバー４２の突起部には先端部が球形状の円柱形状に樹脂材等で形成されたロックレバー４１が取付固定されている。
【００５７】
このカムレバー４２は固定軸３３に嵌め込まれて固定された状態で、回転支持軸３２を支点として連結レバー３１に連動して回転し、固定軸３３の中心位置が、例えば、下部方向Ｒ２４（図３に示す矢印Ｒ２４の時計回り方向）に回転し、この回転に対応して、カムレバー４２のカム押圧面４２ａがシャッタ回転機構部５０に設けられたカム３５の押圧面３５ａを押圧することにより、カム３５が取付固定されているシャッタレバー５１が、上部方向Ｒ２３（図３に示す矢印Ｒ２３の時計回り方向）に回転し、シャッタレバー５１が開いた状態になる。この時、ロックレバー４１は、下部方向Ｒ２５に回転し、回転支持軸３２の中心とロックレバー４１の外周面Ｐ３１とが接線Ｃ１３で示す線上で、内側に傾いた状態で入り込んだ位置に回転移動している。
【００５８】
固定軸３３は、円柱形状に金属材等で形成されたもので、両端にはそれぞれネジ部が、中央部には固定軸面３３ａが、それぞれ形成されている。この固定軸３３は正面側のネジ部が連結レバー３１にナット２７で締め付け固定されている。
【００５９】
そして、この固定軸３３には、固定軸面３３ａにカムレバー４２が回転防止キー等を介して嵌めこみ固定されている。
【００６０】
ロック機構部２０は、挿排ガイド板１２に取付固定されているＬ型形状で樹脂材等で形成された第１サポート部１３ａと、第１サポート部１３ａに上下方向の移動が可能な状態で設置されているスライド支持板２２と、スライド支持板２２に一体構造等に取付固定された押圧支持板２１と、連結レバー３１に固定されて押圧支持板２１をスライド自在に連結したスライド支持軸３４と、第１サポート部１３ａに固定されてスライド支持板２２をスライド自在に連結したスライド支持軸２６と、スライド支持板２２と押圧支持板２１とをそれぞれ取付設置するナット２３、２４、２５等より構成されている。
【００６１】
このロック機構部２０は、図３、４、５に示すように、挿排ガイド板１２に取付固定されている第１サポート部１３ａに上下方向の移動が可能な状態でスライド支持板２２が設置されたもので、このスライド支持板２２には押圧支持板２１が取付固定され、この押圧支持板２１がスライド支持軸３４により、連結レバー３１に連結されたものである。このロック機構部２０は、ディスク９５の挿入時に、手動等による操作で、シャッタレバー５１を開けるようにしたもので、押圧支持板２１が取付固定されているスライド支持板２２を下部方向Ｆ１３(図３に示す矢印Ｆ１３方向)に移動させ、押圧支持板２１をスライド支持軸３４で連結している連結レバー３１を、回転支持軸３２を支点にして下部方向Ｒ２４（図３に示す矢印Ｒ２４の方向）に回転させている。
【００６２】
ロック機構部２０は、ディスク９５の挿入前又は排出後におけるロック機構部２０のシャッタレバー５１が閉じている状態では、図３に示すように、スライド支持板２２の底面は線Ｓ１２上の位置に配設されている。この時、回転支持軸３２の中心と押圧支持板２１を連結レバー３１に連結しているスライド支持軸３４の中心とは接線Ｃ１２の線上にあり、シャッタレバー５１はつるまきバネ５４により付勢されて、下部方向Ｒ２６（図４に示す矢印Ｒ２６）に回転しシャッタレバー５１が閉じた状態にある。
【００６３】
このロック機構部２０は、ディスク９５の挿入時には、手動等による操作で、ロック機構部２０の連結板２１と一体連結されているスライド支持板２２の下部端面が下部方向Ｆ１３に、Ｓ１２で示す位置からＳ１１で示す位置まで移動する。
【００６４】
このスライド支持板２２の下部方向Ｆ１３への移動により、スライド支持板２２と一体連結されている連結板２１が、連動して下部方向へ移動し、この連結板２１にスライド支持軸３４を介して連結されている連結レバー３１が、回転支持軸３２を支点として、下部方向Ｒ２４に、スライド支持軸３４の中心と回転支持軸３２の中心とを結ぶ接線Ｃ１２の線上から接線Ｃ１１の線上まで回転移動する。この回転移動した状態を、図４に示している。
【００６５】
このロック機構部２０は、ディスク９５の挿入時におけるシャッタ回転機構部５０のシャッタレバー５１が開いている状態では、図４に示すように、ロック機構部２０の連結板２１と一体連結されているスライド支持板２２の下部端面が下部方向Ｆ１３に移動されて、Ｓ１１で示す位置にあり、連結板２１と連結レバー３１とを連結しているスライド支持軸３４と回転支持軸３２との中心を結ぶ線が下部方向Ｒ２４に回転移動されて、それぞれの中心がＣ１１で示す線上に位置している。
【００６６】
連結レバー３１は、シャッタレバー５１を連結した状態で、回転支持軸３２により第２サポート部１４に取付設置されているので、この時シャッタレバー５１は、回転支持軸３２を支点として、上部方向Ｒ２３に回転してロックされ、シャッタレバー５１が開いている状態となっている。
【００６７】
スライド支持板２２は、長方型形状に樹脂材等で形成されたもので、第１サポート部１３ａに対し、上下方向にスライドする長孔２２ａが設けられ、ディスク９５の挿入時等に、手動等による操作で、上下方向に移動するものである。
【００６８】
このスライド支持板２２は、第１サポート部１３ａに、スライド可能な状態で、スライド支持軸２６を介して取付設置されたもので、このスライド支持板２２には押圧支持板２１がＬ型形状に、一体構造又は取付ネジ等により取付固定されている。
【００６９】
押圧支持板２１は、角型形状に樹脂材等で形成されたもので、連結レバー３１に対し、左右方向にスライドする長孔２１ａが設けられ、スライド支持板２２に固定されて、ディスク９５の挿入時等に、手動等による操作で、上下方向に移動するスライド支持板２２に連動して上下方向に移動する。この押圧支持板２１の上下方向の移動により、スライド支持軸３４で連結している連結レバー３１を上下方向に回転するものである。
【００７０】
これにより、スライド支持板２２が第１サポート部１３ａに対し、上下方向にスライドすると、これに連動して押圧支持板２１が上下方向に移動し、連結レバー３１が回転支持軸３２を支点として、上下方向に回転することになる。
【００７１】
検出部６０は、ディスク９５の挿排口中央に対し、対称となる間隔を設けて左右に配設されたシャッタ機構１０ａ、１０ｂに対応して設けられ、シャッタレバー５１の開閉位置を検出するものである。この検出部６０は、シャッタレバー５１の開閉状態を検知するスイッチ（又はセンサー）でなる検知センサ６１ａ、６１ｂと、検知センサ６１ａ、６１ｂを取付固定している筐体に設置された取付板６２と、検知センサ６１ａ、６１ｂのスイッチ釦を押圧するシャッタレバー５１に設けられた押圧板６３等より構成されている。
【００７２】
この検知センサ６１ａは、ディスク９５の挿入前又は排出後におけるロック機構部２０のシャッタレバー５１が完全に閉じている状態では、図６に示すように、シャッタレバー５１に設けられた押圧板６３の裏面６３ａが検知センサ６１ａのスイッチ釦面Ｐ３３を押圧し、検知センサ６１ａが動作して、シャッタレバー５１が下部方向に回転して完全に閉じた状態を検知するようにしている。そして、この検知センサ６１ａは、ディスク９５の挿入時におけるシャッタ回転機構部５０のシャッタレバー５１が開いている状態では、図６に示すように、シャッタレバー５１が回転支持軸３２を支点として、上部方向Ｒ２３に、回転支持軸３２の中心とシャッタレバー５１に設けられたローラー５２の下部面Ｐ２８とが接線Ｃ１６の位置から接線Ｃ１５の位置まで回転移動することにより、シャッタレバー５１に設けられた押圧板６３の裏面６３ａが上部方向に移動し、検知センサ６１ａのスイッチ釦面Ｐ３３への押圧が解除されて、検知センサ６１ａがＯＮ状態からＯＦＦ状態になり、シャッタレバー５１が上部方向に回転して開いた状態を検知するようにしている。
【００７３】
従って、検知センサ６１ａは、ディスク９５の挿入前又は排出後におけるシャッタレバー５１が完全に閉じている状態では、シャッタレバー５１に設けられた押圧板６３の裏面６３ａが検知センサ６１ａのスイッチ釦面Ｐ３３を押圧してＯＮ動作状態にしてシャッタレバー５１が下部方向に回転して完全に閉じた状態を検知し、ディスク９５の挿入時におけるシャッタレバー５１が開いている状態では、シャッタレバー５１に設けられた押圧板６３の裏面６３ａによる検知センサ６１ａのスイッチ釦面Ｐ３３への押圧を解除してＯＦＦ状態にしてシャッタレバー５１が上部方向に回転して開いた状態を検知しているため、シャッタレバー５１の開閉状態がタイミング良く、確実に検出でき、ディスク９５の挿排操作が容易で、誤操作が防止できる。
【００７４】
この検知センサ６１ａ、６１ｂは、例えば、ディスク挿入時、１枚目のディスクが挿入された後、一方のシャッタレバーにおけるローラ５２部分に中心がくるようにディスクが連続挿入されるような、異常挿入状態を検出するために用いることができる。この場合、一方の検知センサは閉じるが、他方の検知センサは開いた状態となる。
【００７５】
また、この検知センサ６１ａ、６１ｂは、例えば、ディスク排出動作完了後に、左右のシャッタレバー５１が同時に閉じたことにより、ディスク９５が挿排口２ａからユーザによって取り除かれたことを検出するために用いることができるし、その他のさまざまな挿排状態を検出することに用いることが可能である。
【００７６】
次に、ディスク９５の挿排時におけるディスクローディング装置の機能動作について、図７を参照して説明する。
【００７７】
図７は本発明の実施の形態に係るディスクローディング装置の動作を示す説明図である。
【００７８】
ディスク９５を挿入する前(又は排出する前)には、シャッタレバー５１は閉じた状態にあり、このシャッタレバー５１の閉じている状態では、例えば、図７に示すように、シャッタレバー５１は、回転支持軸３２を支点として、下部方向(図７に示す反時計方向)に回転して下げられた状態であり、回転支持軸３２の中心位置Ｐ２５からシャッタレバー５１に設けられたローラ５２の下部面Ｐ２８への接線がＣ１６の線上の位置に存在し、ロックカムレバー回転機構部４０を連結レバー３１に連結する固定軸３３の中心位置Ｐ２３と、ロック機構部２０の押圧支持板２１を連結レバー３１に連結するスライド支持軸３４の中心位置Ｐ２１は、Ｃ１２の線上の位置に存在している。この時、ロック機構部２０のスライド支持板２２を第１サポート部１３に連結するスライド支持軸２６の中心位置Ｐ２９は、スライド支持軸３４の中心位置Ｐ２１から上下方向にＬ３５離間した位置になるように位置している。
【００７９】
そして、ディスク９５を挿入(又は排出)する時には、手動等による操作で、ロック機構部２０に設けられた押圧支持板２１が取付固定されているスライド支持板２２を、第１サポート部１３に取付固定しているスライド支持軸２６のスライド面２６ａをスライド支持板２２の長孔２２ａにスライドさせて、下部方向Ｆ１３に距離Ｌ２６だけ移動させることにより、スライド支持板２２に一体化されている押圧支持板２１を連動して、下部方向Ｆ１３に移動させる。この押圧支持板２１の移動により、押圧支持板２１にスライド支持軸３４で連結されている連結レバー３１が、回転支持軸３２を支点にして下部方向Ｒ２４に連動回転されて、押圧支持板２１と連結レバー３１とを連結しているスライド支持軸３４の中心位置がＰ２１からＰ２２になる位置まで、移動することになる。即ち、連結レバー３１は、回転支持軸３２を支点にして下部方向Ｒ２４に、回転支持軸３２の中心位置Ｐ２５から固定軸３３の中心位置Ｐ２３とスライド支持軸３４の中心位置Ｐ２１とを結ぶ中心線が、Ｃ１２の線上の位置からＣ１１の線上の位置に回転したことになる。この時、第１サポート部１３に取付固定しているスライド支持軸２６の中心位置Ｐ２９とスライド支持軸３４の中心位置Ｐ２２との上下方向の離間距離は狭められてＬ３４となっている。
【００８０】
そして、この連結レバー３１の下部方向Ｒ２４への回転により、ロックカムレバー回転機構部４０を連結レバー３１に連結している固定軸３３が連動して回転し、固定軸３３の中心位置がＰ２３からＰ２４の位置まで下部方向に移動することになる。このロックカムレバー回転機構部４０の回転移動により、ロックカムレバー回転機構部４０に設けられたカムレバー４２の押圧面４２ａでシャッタ回転機構部５０に設けられたカム３５のカム面３５ａが押圧されて回転し、カム３５に連結されたシャッタレバー５１が連動して、回転支持軸３２を支点として、上部方向Ｒ２３に回転する。
【００８１】
この回転により、シャッタレバー５１は、回転支持軸３２の中心位置Ｐ２５からシャッタレバー５１に設けられたローラ５２の下部面Ｐ２８への接線がＣ１６の線上の位置からＣ１５の線上の位置まで、上部方向Ｒ２３に回転し、シャッタレバー５１は開いた状態になる。
【００８２】
この時、ロックカムレバー回転機構部４０に設けられたロックレバー４１は、回転支持軸３２の中心からロックレバー４１の外周面Ｐ３２への接線がＣ１４の線上の位置からＣ１３の線上の位置に下部方向Ｒ２５の時計方向へ回転移動し、内側に傾いて入り込んだ位置となる。この傾いて内側に入り込んでいるロックレバー４１は、ディスク９５が挿入されると、ディスク９５の外周面にロックレバー４１の外周面Ｐ３１が当接押圧されて、回転支持軸３２の中心からロックレバー４１の外周面Ｐ３１への接線がＣ１３の線上の位置からＣ１４の線上の位置に戻されて、下部方向Ｒ２５とは逆の反時計方向へ回転移動されることになる。これにより、ロックカムレバー回転機構部４０に設けられたカムレバー４２とシャッタ回転機構部５０に設けられたカム３５とのロックが解除され、シャッタレバー５１がつるまきバネ５４により付勢されて、下部方向（上部方向Ｒ２３とは逆の反時計方向）に回転し、シャッタレバー５１が閉じた状態となる。
【００８３】
尚、本発明のディスクローディング装置は、ディスクプレイヤー等のディスク挿排口だけでなく、さまざまなものに適用できる。
【００８４】
又、本発明のディスクローディング装置は、挿入及び排出がされる部分に用いられているが、挿入又は排出の一方だけを行う部分に適用することもできる。
【００８５】
尚、本実施例におけるシャッタ機構１０ａ、１０ｂは、挿排口２ａに対して、左右対称な位置および形状に設けているが、本発明はこれに限るものではなく、左右のシャッタ機構が所定の間隔を開けて設けられていれば良い。
【００８６】
以上のように、本ディスクローディング装置１０は、シャッタレバー５１がディスク９５の挿排口におけるディスク９５の中央部が通り過ぎる位置よりも、左右端部方向に、所定間隔を設けた位置にそれぞれ配設され、挿排口２ａの長手方向と交差する上下方向に開閉するようにされているため、複数のディスクを連続的に挿入しようとしても、先行ディスクの中央部がシャッタレバーを通り過ぎる前に、シャッタレバーが閉じた状態となり、後続ディスクを連なって挿入できず、ディスクの挿排状態が確実に検出できるため、誤操作の発生防止と、品質の向上を図ることができる。
【００８７】
【発明の効果】
以上説明したように、本発明によるディスクローディング装置は、複数のディスクを連続的に挿入しようとしても、後続ディスクを連なって挿入できず、ディスクの挿排状態が確実に検出できるため、誤操作の発生防止と、品質の向上を図ることができる。
【図面の簡単な説明】
【図１】本発明の実施の形態に係るディスクローディング装置の外観を示す斜視図である。
【図２】本発明の実施の形態に係るディスクローディング装置の上面を示す断面図である。
【図３】本発明の実施の形態に係るディスクローディング装置のシャッタレバーが閉じた状態を示す詳細な裏面斜視図である。
【図４】本発明の実施の形態に係るディスクローディング装置のシャッタレバーが開いた状態を示す詳細な裏面斜視図である。
【図５】図３のＡ−Ａ'断面図である。
【図６】本発明の実施の形態に係るディスクローディング装置のシャッタレバーの開閉位置を検出する検出部の裏面斜視図である。
【図７】本発明の実施の形態に係るディスクローディング装置の動作を示す説明図である。
【図８】従来のディスクローディング装置の外観を示す斜視図である。
【図９】図８のＢ−Ｂ'断面図である。
【符号の説明】
１…筐体
２…前面パネル
１０、８０…ディスクローディング装置
２…前面パネル
１２…挿排ガイド板
１３ａ、１３ｂ…第１サポート部
１４…第２サポート部
２０…ロック機構部
２１…押圧支持板
２２…スライド支持板
２３、２４、２５…ナット
２６…スライド支持軸
２７、２８…ナット
３０…回転レバー連結機構部
３１…連結レバー
３２…回転支持軸
３３…固定軸
３４…スライド支持軸
３５…カム
３８…スペーサ
４０…ロックカムレバー回転機構部
４１…ロックレバー
４２…カムレバー
４３…ナット
５０…シャッタ回転機構部
５１…シャッタレバー
５２…ローラー
５３…保持板
５４…つるまきバネ
６１…検知センサ
８１…シャッタ
８２…カム回転機構部
８３…付勢機構部
８４…ロック機構部
８５…サポート部
９５…ディスク
【図１】
0003929267.tif 000002
【図２】
0003929267.tif 000003
【図３】
0003929267.tif 000004
【図４】
0003929267.tif 000005
【図５】
0003929267.tif 000006
【図６】
0003929267.tif 000007
【図７】
0003929267.tif 000008
【図８】
0003929267.tif 000009
【図９】
0003929267.tif 000010